(57)【要約】【課題】建物の壁面に外装材、特にタイルを取り付けるための新規なタイル取り付け用レールおよび該タイル取り付け用レールを用いるタイル取り付け構造を提供する。【構成】レールの断面において、タイルの端縁部が装着される左右のタイル装着部と、壁面とタイルとの間に配設される胴縁に面接触して取り付けられる左右の胴縁取り付け部をそなえ、左右の胴縁取り付け部の間に胴縁から離間して位置する下側水平面部と下側水平面部から上方に立設される垂直面部と垂直面部の上縁部から左右に延びる上側水平面部とにより左右のタイル装着部が形成されているものであり、胴縁に所定の間隔で取り付けられ、各レールの左右のタイル装着部にタイルの端縁部が装着されて、建物の所定の壁面にタイルが取り付けられる。【選択図】図１
2020193507.tif 000002
【特許請求の範囲】
【請求項１】
建物の壁面に外装材を取り付けるための外装材取り付け用レールであって、レールの断面において、外装材の端縁部が装着される左右の外装材装着部と、壁面と外装材との間に配設される胴縁に面接触して取り付けられる左右の胴縁取り付け部をそなえ、左右の胴縁取り付け部の間に胴縁から離間して位置する下側水平面部と下側水平面部から上方に立設される垂直面部と垂直面部の上縁部から左右に延びる上側水平面部とにより左右の外装材装着部が形成されていることを特徴とする外装材取り付け用レール。
【請求項２】
前記左右に延びる上側水平面部のうち一方の上側水平面部の延出長さが他方の上側水平面部の延出長さより短いことを特徴とする請求項１に記載の外装材取り付け用レール。
【請求項３】
前記レールがアルミニウム（アルミニウム合金を含む）の押出形材で構成されていることを特徴とする請求項１または請求項２に記載の外装材取り付け用レール。
【請求項４】
建物の壁面に外装材を取り付けた外装材取り付け構造であって、請求項１〜３のいずれかに記載の外装材取り付け用レールが前記胴縁に所定の間隔で取り付けられ、各外装材取り付け用レールの前記左右の外装材装着部に外装材の端縁部が装着されて、建物の所定の壁面に外装材が取り付けられていることを特徴とする外装材取り付け構造。
【請求項５】
前記外装材装着部に装着する外装材の厚さＴが前記外装材装着部の間隙寸法ｔより小さくされていることを特徴とする請求項４に記載の外装材取り付け構造。
【請求項６】
前記左右の外装材装着部の一方の外装材装着部には外装材が垂直面部に当接するよう装着され、他方の外装材装着部には外装材が垂直面部に当接しないよう垂直面部から離間して装着されていることを特徴とする請求項４または請求項５に記載の外装材取り付け構造。
【発明の詳細な説明】
【技術分野】
【０００１】
本発明は、建物の壁面に外装材、特にタイルを取り付けるための外装材取り付け用レールおよび外装材取り付け構造に関する。
【背景技術】
【０００２】
タイルは陶磁器質の建材で、耐水、耐火、耐候、耐久性の機能を有し、メンテナンの点で有利となるため、建物の外装材として広く使用されている。建物に対する外装用タイルの取り付け方としては、従来、モルタル下地の上にタイルを貼り付ける湿式工法が行われていたが、剥離や剥落などの発生が少なくなく、剥落防止や工期短縮などのために乾式工法が行われるようになってきた。
【０００３】
乾式工法として、下地材の上に接着剤でタイルを張っていく方式、特殊な専用下地を壁に取り付けタイルを引っかけて張る方式など、この工法に関しては多くの提案がなされている。また、胴縁にレールを配設してタイルを取り付けていく手法も提案されている。
【先行技術文献】
【特許文献】
【０００４】
【特許文献１】特開２０００−３５６０２４号公報
【特許文献２】特開２００４−２３２３９６号公報
【発明の概要】
【発明が解決しようとする課題】
【０００５】
本発明は、レールを用いる乾式工法による外装材、特にタイルの取り付けにおいて、タイルの取り付けが簡便で、タイルの積み上げ高さにも制限が無く、工期短縮や作業効率の向上を可能とする新規な外装材取り付け用レールおよび該外装材取り付け用レールを用いる外装材取り付け構造を提供することを目的としてなされたものである。
【課題を解決するための手段】
【０００６】
上記の目的を達成するための請求項１による外装材取り付け用レールは、建物の壁面に外装材を取り付けるための外装材取り付け用レールであって、レールの断面において、外装材の端縁部が装着される左右の外装材装着部と、壁面と外装材との間に配設される胴縁に面接触して取り付けられる左右の胴縁取り付け部をそなえ、左右の胴縁取り付け部の間に胴縁から離間して位置する下側水平面部と下側水平面部から上方に立設される垂直面部と垂直面部の上縁部から左右に延びる上側水平面部とにより左右の外装材装着部が形成されていることを特徴とする。
【０００７】
請求項２による外装材取り付け用レールは、請求項１において、前記左右に延びる上側水平面部のうち一方の上側水平面部の延出長さが他方の上側水平面部の延出長さより短いことを特徴とする。
【０００８】
請求項３による外装材取り付け用レールは、請求項１または請求項２において、前記レールがアルミニウム（アルミニウム合金を含む、以下同じ）の押出形材で構成されていることを特徴とする。
【０００９】
請求項４による外装材取り付け構造は、建物の壁面に外装材を取り付けた外装材取り付け構造であって、請求項１〜３のいずれかに記載の外装材取り付け用レールが前記胴縁に所定の間隔で取り付けられ、各外装材取り付け用レールの前記左右の外装材装着部に外装材の端縁部が装着されて、建物の所定の壁面に外装材が取り付けられていることを特徴とする。
【００１０】
請求項５による外装材取り付け構造は、請求項４において、前記外装材装着部に装着する外装材の厚さＴが前記外装材装着部の間隙寸法ｔより小さくされていることを特徴とする。
【００１１】
請求項６による外装材取り付け構造は、請求項４または請求項５において、前記左右の外装材装着部の一方の外装材装着部には外装材が垂直面部に当接するよう装着され、他方の外装材装着部には外装材が垂直面部に当接しないよう垂直面部から離間して装着されていることを特徴とする。
【発明の効果】
【００１２】
本発明において、建物の外壁へのタイル張りは胴縁に所定間隔をおいて配設した外装材取り付け用レールにタイルをはめ込むことにより行われるから、タイルの取り付けは簡便であり、タイルの積み上げ高さにも制限が無く、工期短縮や作業効率の向上が可能となる。タイルの剥落の問題も解消できる。
【００１３】
請求項５に記載されるように、外装材装着部に装着する外装材（タイル）の厚さＴを外装材装着部の間隙寸法ｔより小さくし、請求項６に記載されるように、左右の外装材装着部のうち一方の外装材装着部にはタイルが垂直面部に当接するよう装着され、他方の外装材装着部にはタイルが垂直面部に当接しないよう垂直面部からｗの距離離間して装着する構成とすることにより、温度変化や地震、火事などの災害時にタイルの膨張、変形などが生じても膨張や変形が外装材装着部内で吸収され、タイルの割れや損傷が防止できるから、長寿命な外壁が得られる。
【図面の簡単な説明】
【００１４】
【図１】本発明による外装材取り付け用レールの一部断面斜視図である。
【図２】本発明による外装材取り付け用レールを用いた外装材取り付け構造の実施例を示す断面図である。
【発明を実施するための形態】
【００１５】
以下、図面（図１〜図２）により本発明に係る外装材取り付け用レールおよび外装材取り付け構造について説明する。
【００１６】
本発明による外装材取り付け用レール１は、図2に示すように、建物の壁面１１に外装材９（以下、タイル９）を取り付けるために、建物の壁面１１とタイル９との間に配設される胴縁８に所定の間隔で取り付けられものであり、図１に示すように、レール１は一体成形され、レール１の断面において、タイル９の端縁部９Ｅ１、９Ｅ２が装着される左右の外装材装着部2Ａ、２Ｂと、胴縁８に面接触して取り付けられる左右の胴縁取り付け部３Ａ、３Ｂをそなえ、左右の胴縁取り付け部３Ａ、３Ｂの間に胴縁８から離間して位置する下側水平面部４ａ、４ｂと下側水平面部４ａ、４ｂから上方に立設される垂直面部５と垂直面部５の上縁部から左右に延びる上側水平面部６ａ、６ｂとにより左右の外装材装着部2Ａ、２Ｂが形成されている。
【００１７】
本発明による外装材（タイル）取り付け用レール１は、アルミニウムの押出形材で構成されるのが軽量化、耐久性の点で好ましい。
【００１８】
本発明によるタイル取り付け用レール１を用いた建物へのタイル取り付け構造７の好ましい実施形態について説明すると、図2に示すように、建物の壁面１１とタイル９との間に透湿防水シート１０を介して所定の間隔をおいて胴縁８（本実施例においては縦胴縁）が配設され、胴縁８に所定の間隔でタイル取り付け用レール１が取り付けられ、各タイル取り付け用レール１の左右のタイル装着部2Ａ、２Ｂにタイル９の端縁部９Ｅ１、９Ｅ２が装着される。
【００１９】
縦胴縁８に所定の間隔をおいて横方向に配設されたタイル取り付け用レール１に対するタイル９の取り付けは、上下のレールにタイル９を上げ落としてはめ込むケンドン式で行われる。このため、レール１の左右に延びる上側水平面部６ａ、６ｂのうち、一方の上側水平面部、例えば上側水平面部６ｂの延出長さｄ２を他方の上側水平面部６ａの延出長さｄ１より短く形成する。配設された上下のレール１、１において、長い延出長さを有する上側水平面部は下方に向けて配置され、短い延出長さを有する上側水平面部は上方に向けて配置される。
【００２０】
透湿防水シート１０は、湿気（水蒸気）のみを通し、水は通さない性質を有するシートであり、胴縁８は、建物の壁面へのタイル張りを受けるための下地部材で、壁面に空気の通路（通気層）１４を形成する役割も果たす。１２は胴縁８と面接触するタイル取り付け用レール１の胴縁取り付け部３Ａ、３Ｂを胴縁８、建物の壁面１１に固着する止め具であり、１３は、タイル取り付け用レール１の左右のタイル装着部2Ａ、２Ｂに装着されたタイル９の端縁部９Ｅ１、９Ｅ２を支受してタイル9を安定して保持するためのタイル支受部材であり、ゴムなどの弾性体で作製されるのが好ましい。
【００２１】
図２に示される建物へのタイル取り付け構造７の好ましい実施形態において、タイル装着部2Ａ、２Ｂに装着されるタイル９の厚さＴと外装材装着部2Ａ、２Ｂにタイル９の端縁部９Ｅ１、９Ｅ２間隙寸法ｔ（図１）との関係は、ｔ＞Ｔの関係にあることが望ましい。
【００２２】
また、図２に示される建物へのタイル取り付け構造７の好ましい実施形態において、タイルをケンドン式ではめ込みの必然的な結果として、左右のタイル装着部2Ａ、２Ｂの一方のタイル装着部２Ｂ（延出長さが短い上側水平面部６ｂを有する）にはタイル９がレール１の垂直面部５に当接するよう装着され、他方のタイル装着部2Ａ（延出長さが長い上側水平面部６ａを有する）にはタイル９がレール１の垂直面部５に当接しないよう垂直面部５からｗの距離だけ離間して装着されることとなる。
【００２３】
上記の構成とすることにより、前記のように、温度変化や地震、火事などの災害時にタイルの膨張、変形などが生じても膨張や変形が外装材装着部内で吸収され、タイルの割れや損傷が防止できるから、長寿命な外壁が得られるという効果が生じる。
【００２４】
本発明による建物へのタイル取り付け構造において、例えばサッシ回りなどの壁面端部においては、本発明のタイル取り付け用レール１の右半分または左半分が用いられ、タイル装着部2Ａまたは２Ｂにタイル９の端縁部９Ｅ１または９Ｅ２が装着されたのち、見切り縁などの金物が取り付けられる。
【００２５】
本発明における建物へのタイル取り付け工程は、概略、壁面への透湿防水シート張り付け、胴縁の取り付け、見切り縁等の金物取り付け、タイル取り付け用レールの加工取り付け、タイル割り付け、接着剤塗布、タイル取り付けの手順で行われる。
【符号の説明】
【００２６】
１    外装材（タイル）取り付け用レール
２Ａ、２Ｂ・・外装材（タイル）装着部
３Ａ、３Ｂ・・胴縁取り付け部
４ａ、４ｂ・・下側水平面部
５    垂直面部
６ａ、６ｂ・・上側水平面部
７    外装材（タイル）取り付け構造
８    胴縁
９    外装材（タイル）
９Ｅ１、９Ｅ２・・外装材（タイル）９の端縁部
１０  透湿防水シート
１１  建物の壁面
１２  止め具
１３  外装材（タイル）支受部材
１４  通気層
ｔ    タイル９の端縁部９Ｅ１、９Ｅ２間隙寸法
Ｔ    タイル９の厚さ
ｄ１、ｄ２・・上側水平面部６ａ、６ｂの延出長さ
ｗ    外装材（タイル）装着部2Ａに装着されるタイル９の端縁部９Ｅ１とレール１の垂直面部５との離間距離
【図１】
2020193507.tif 000003
【図２】
2020193507.tif 000004